(57)【特許請求の範囲】
【請求項１】
円筒状の本体部の外周に雄ねじを螺刻し、且つ、該本体部を夫々断面略半円状の上半部と下半部の２つ割形状に形成すると共に、該上半部と下半部の接合面に摺動規制手段を設け、且つ、該上半部の外周両下端部に突設部を設け、更に、該突設部に対峙させて前記下半部の外周両上端部に突設部を設け、相対峙する該突設部を固着自在とした削孔芯出し治具に於いて、上記摺動規制手段は上記接合面の長手方向に延びて設けられた上記本体部の径方向の段差と、該接合面の長手方向所定位置に所定幅で前記段差方向と反対方向に設けられた段差とから成り、既設コンクリートを補修する用に供することを特徴とする削孔芯出し治具。
【請求項２】
所定位置に固定用孔が開穿され、該固定用孔に雌ねじが螺刻された円筒状の金物が内装されたＰＣ板を、既設コンクリート表面から所定間隔離間させて仮止めし、該ＰＣ板の外方から前記金物中心部を通して削孔用ロッドを貫通した後、該削孔用ロッドに、請求項１記載の削孔芯出し治具を遊嵌して、該削孔芯出し治具を互いに固着し、該削孔芯出し治具に螺刻された雄ねじを前記金物の雌ねじに螺入して該削孔芯出し治具を前記ＰＣ板に螺着することにより、前記ＰＣ板に内装された前記円筒状の金物に対し前記削孔用ロッドを芯出しし、前記既設コンクリートにアンカーボルト埋込孔を削孔することを特徴とする請求項１記載の削孔芯出し治具を使用する削孔方法。
【発明の詳細な説明】
【０００１】
【発明の属する技術分野】
この発明は、削孔芯出し治具及び削孔芯出し治具を用いた削孔方法に関するものであり、特に、既設コンクリートを補修するため、既設コンクリート表面にＰＣ板を取付ける際に、該ＰＣ板を取付けるアンカーボルトのアンカーボルト埋込孔を削孔する削孔用ロッドを前記ＰＣ板の固定用孔に対し芯出しするための削孔芯出し治具及び削孔芯出し治具を用いた削孔方法に関するものである。
【０００２】
【従来の技術及び発明が解決しようとする課題】
従来、既設コンクリートを補修する方法として、図４に示す如く、ＰＣ板（コンクリート製プレキャスト板）１，１…を用いて、既設コンクリート２の表面を蔽う方法が知られている。そして、この方法に於て、複数のＰＣ板１，１…を平坦面状になるように取付けるため、例えば、図５に示す施工方法が知られている。該施工方法によると、まず、既設コンクリート２面の所定位置にアンカーボルト埋込孔３，３…を削孔し、このアンカーボルト埋込孔３，３…にアンカーボルト４，４…を埋込んで固定する。次に、施工するアンカーボルト４（図に於て上のアンカーボルト４）にコイルバネ５を装着し、更に、ＰＣ板１の固定用孔６部に固設されたワッシャー７の孔に前記アンカーボルト４を挿通させることにより、該ＰＣ板１を該アンカーボルト４に装着した後、ナット８を該アンカーボルト４に螺入して締付けることにより前記ＰＣ板１を前進させ、該ＰＣ板１と既設のＰＣ板１（図に於て下のＰＣ板１）との外側表面の位置が平坦になるように調整する。尚、ナット８を締付け過ぎた場合には、該ナット８を弛めることで前記コイルバネ５の反力により前記ＰＣ板１を後退させて位置調整する。
【０００３】
又、図４に示す如く、前記ＰＣ板１，１…どうしを水平方向に連結するため、該ＰＣ板１，１…には隣接するＰＣ板１，１間に挿通孔９，９…が水平方向に開穿され、該挿通孔９，９…の先端部に連結ナット１０，１０…が埋設されており、連結ボルト１１，１１…を該挿通孔９，９…を通して前記連結ナット１０，１０…に螺着することにより、隣接するＰＣ板１，１どうしを連結する。
【０００４】
そして、所定枚数のＰＣ板１，１…を取付けた後、前記既設コンクリート２と該ＰＣ板１，１…の隙間にセメントミルクやモルタル等を充填する。
然しながら、前述の如く、前記アンカーボルト埋込孔３を前もって既設コンクリート２に所定の間隔で配置する場合、該アンカーボルト埋込孔３の配置誤差や、ＰＣ板１を取付ける際の組立て誤差が生じるため、該ＰＣ板１の固定用孔６とアンカーボルト埋込孔３との位置がずれ、ＰＣ板１設置作業が進むにつれて該ＰＣ板１の設置固定が困難になり、組立てが不可能となる虞があった。
【０００５】
そのため、ＰＣ板１を仮設置した後に該ＰＣ板１に明けられた固定用孔６を通してアンカーボルト埋込孔３を開穿する方法が考えられるが、この場合、アンカーボルト埋込孔３の中心軸線とＰＣ板１の固定用孔６の中心軸線とが一致する様に芯出ししてアンカーボルト埋込孔３を開穿し、ＰＣ板１とアンカーボルト４が直角になり、且つ、アンカーボルト４が固定用孔６の中心に来るようにアンカーボルト４を取付ける必要がある。
【０００６】
そこで、既設コンクリート表面にＰＣ板を取付ける既設コンクリートの補修に於て、ＰＣ板の固定用孔に芯出ししてアンカーボルト埋込孔を削孔できるようにするために解決すべき技術的課題が生じてくるのであり、本発明はこの課題を解決することを目的とする。
【０００７】
【課題を解決するための手段】
本発明は上記目的を達成するために提案されたものであり、請求項１記載の発明は、円筒状の本体部の外周に雄ねじを螺刻し、且つ、該本体部を夫々断面略半円状の上半部と下半部の２つ割形状に形成すると共に、該上半部と下半部の接合面に摺動規制手段を設け、且つ、該上半部の外周両下端部に突設部を設け、更に、該突設部に対峙させて前記下半部
の外周両上端部に突設部を設け、相対峙する該突設部を固着自在とした削孔芯出し治具に於いて、上記摺動規制手段は上記接合面の長手方向に延びて設けられた上記本体部の径方向の段差と、該接合面の長手方向所定位置に所定幅で前記段差方向と反対方向に設けられた段差とから成り、既設コンクリートを補修する用に供する削孔芯出し治具
及び、請求項２記載の発明は、所定位置に固定用孔が開穿され、該固定用孔に雌ねじが螺刻された円筒状の金物が内装されたＰＣ板を、既設コンクリート表面から所定間隔離間させて仮止めし、該ＰＣ板の外方から前記金物中心部を通して削孔用ロッドを貫通した後、該削孔用ロッドに、請求項１記載の削孔芯出し治具を遊嵌して、該削孔芯出し治具を互いに固着し、該削孔芯出し治具に螺刻された雄ねじを前記金物の雌ねじに螺入して該削孔芯出し治具を前記ＰＣ板に螺着することにより、前記ＰＣ板に内装された前記円筒状の金物に対し前記削孔用ロッドを芯出しし、前記既設コンクリートにアンカーボルト埋込孔を削孔することを特徴とする請求項１記載の削孔芯出し治具を使用する削孔方法を提供するものである。
【０００８】
【発明の実施の形態】
以下、本発明の一実施の形態を図１乃至図３に従って詳述する。尚、説明の都合上、従来例と同一構成部分については同一符号を付してその説明を省略する。
図１に於いて、１２は削孔芯出し治具であり、該削孔芯出し治具１２は、円筒状の本体部１３の外周に雄ねじ１４が螺刻され、且つ、該本体部１３は夫々断面略半円状の上半部１５と下半部１６の２つ割形状に形成されている。そして、該上半部１５と下半部１６の両接合面Ａ，Ａに摺動規制手段として該接合面Ａ，Ａの長手方向に延びて設けられた前記本体部１３の径方向の段差Ｂ，Ｂと、該接合面Ａ，Ａの長手方向所定位置に所定幅で前記段差Ｂ，Ｂ方向と反対方向に設けられた段差Ｃ，Ｃが形成されている。
【０００９】
更に、前記上半部１５の外周両下端部に突設部１７，１８が設けられ、該突設部１７，１８に対峙させて前記下半部１６の外周両上端部に突設部１９，２０が設けられている。尚、前記雄ねじ１４は少なくとも該突設部１７，１８，１９，２０から前記本体部１３の軸方向に離間した位置にも螺刻されている。
【００１０】
又、相対峙する該突設部１７，１９及び１８，２０の略中心部に夫々上下方向に連続する孔２１，２２及び２３，２４が開穿され、該孔２１，２２及び２３，２４を貫通する螺子２５及び２６によって相対峙する該突設部１７，１９及び１８，２０が螺着自在に構成されている。
【００１１】
而して、前記削孔芯出し治具１２を用いた施工を行う場合は、図１及び図２に示す如く、所定位置に固定用孔４が開穿され、該固定用孔４に雌ねじ２７が螺刻された円筒状の金物２８が密嵌されたＰＣ板１を、既設コンクリート２表面から所定間隔離間させて仮止めし、該ＰＣ板１の外方から前記金物２８中心部を通して削孔用ロッド２９を貫通する。尚、前記固定用孔４は前記ＰＣ板１の表面に対して直角に開穿され、従って、前記金物２８も該ＰＣ板１表面に対し直角に設けられている。
【００１２】
そして、該削孔用ロッド２９に２分割された２つ割形状の前記削孔芯出し治具１２を前記突設部１７，１８，１９，２０側を後方にして遊嵌し、該２つ割形状の削孔芯出し治具１２を前記螺子２５，２６を用いて互いに固着し、該削孔芯出し治具１２に螺刻された雄ねじ１４を前記金物２８の雌ねじ２７に螺入して該削孔芯出し治具１２を前記ＰＣ板１に螺着する。
【００１３】
これにより、該削孔芯出し用治具１２は前記金物２８の中心に固着されると共に、前記ＰＣ板１に対し直角に固定されるから、該ＰＣ板１の固定用孔４及び金物２８の中心軸線に対し前記削孔用ロッド２９の中心軸線が芯出しされ、同時に、該削孔用ロッド２９が前記ＰＣ板１に対して直角方向に位置決めされる。
【００１４】
然る後に、該削孔用ロッド２９を回転させて前記既設コンクリート２を削孔すると、前記ＰＣ板１の固定用孔４、及び、金物２８に対して芯出しされ、且つ、該ＰＣ板１に直角に位置決めされたアンカーボルト埋込孔３０が削孔される。削孔後は前記削孔芯出し治具１２が取り外され、前記削孔用ロッド２９も引き抜かれる。
【００１５】
斯くして、前記削孔芯出し治具１２は、簡易な方法で、前記削孔用ロッド２９の前記ＰＣ板１の固定用孔４、及び、金物２８に対する芯出しを行ない、且つ、該ＰＣ板１に対して直角方向に位置決めを行うことができ、従って、該削孔用ロッド２９によって削孔されるアンカーボルト埋込孔３０は前記ＰＣ板１の固定用孔４、及び、前記金物２８に対して芯出しされ、且つ、該ＰＣ板１に対して直角方向に位置決めされる。又、前記削孔用ロッド２９による削孔時に、前記ＰＣ板１に内装された前記金物２８の雌ねじ２７に該削孔用ロッド２９が接触することがなく、該雌ねじ２７の変形や破損を防止することができる。
【００１６】
尚、前記削孔芯出し用治具１２は本体部１３を２つ割形状としたが、前記削孔用ロッド２９のビット２９ａの径とロッド２９ｂの径の差が小さい場合は、２つ割形状としないものでも使用することが可能である。但し、この場合の削孔芯出し用治具１２の内径は前記ビット２９ａの外径よりも大きくする必要があり、又、施工時には、ＰＣ板１に削孔用ロッド２９を貫通させる前に、ビット２９ａの先端からロッド２９ｂに前記削孔芯出し用治具１２を通しておくこととなる。
【００１７】
図３は削孔後の施工方法を示し、前記既設コンクリート２に削孔されたアンカーボルト埋込孔３０に固定用アンカー３１を打ち込み、前記ＰＣ板１に内装された前記金物２８の中心部を通して該固定用アンカー３１にアンカーボルト４を螺入する。
【００１８】
次に、該アンカーボルト４にコイルバネ５を遊嵌させて該コイルバネ５の先端部を該アンカーボルト４の所定位置に係止させ、且つ、前記金物２８の雌ねじ２７にねじ付きワッシャー３２を螺合させて前記コイルバネ５の後端部を保持する。
【００１９】
更に、前記アンカーボルト４にナット３３を螺合して、前記ねじ付きワッッシャー３２に接触させ、該ナット３３を螺動することにより、前記アンカーボルト４に対する前記ＰＣ板１位置を調節し、該ＰＣ板１を所定の位置で保持する。そして、前記アンカーボルト４を前記ナット３３の外側面に合わせて切断し、前記固定用孔６の隙間内に埋込剤３４を埋め込む。
【００２０】
同様にして他のＰＣ板１を順次設置し、該ＰＣ板１を所定枚数設置した時、又は、該ＰＣ板１を設置終了後、既設コンクリート２とＰＣ板１の隙間にセメントミルクやモルタル３５を充填する。
尚、本発明は、本発明の精神を逸脱しない限り種々の改変を為すことができ、そして、本発明が該改変されたものに及ぶことは当然である。
【００２1】
【発明の効果】
本発明は上記一実施の形態に詳述したように、請求項１記載の発明は、円筒状の本体部の外周に雄ねじを螺刻し、且つ、該本体部を夫々断面略半円状の上半部と下半部の２つ割形状に形成すると共に、該上半部と下半部の接合面に摺動規制手段を設け、且つ、該上半部の外周両下端部に突設部を設け、更に、該突設部に対峙させて前記下半部の外周両上端部に突設部を設け、相対峙する該突設部を固着自在とし、既設コンクリートの補修の用に供するから、前記削孔芯出し治具を用いて削孔用ロッドでアンカーボルト埋込孔を削孔する時、ＰＣ板に設けられた固定用孔、及び、金物の中心軸線の芯出しを行なうことができ、且つ、該ＰＣ板に対して直角方向に該削孔用ロッドの位置決めを行なうことができ、コンクリートの補修を効率的に行なうことができる。
【００２２】
従って、該削孔用ロッドによって削孔されるアンカーボルト埋込孔の中心軸線は前記ＰＣ板の固定用孔、及び、金物の中心軸線に対して芯出しされ、且つ、該ＰＣ板に対して直角方向に位置決めされて削孔される。又、前記削孔用ロッドによる削孔時に、前記ＰＣ板の固定用孔に内装された金物の雌ねじに該削孔用が接触することがなく該雌ねじの変形や破損を防止することができる。
【００２３】
又、本発明は、上記摺動規制手段は上記接合面の長手方向に延びて設けられた上記本体部の径方向の段差と、該接合面の長手方向所定位置に所定幅で前記段差方向と反対方向に設けられた段差とから成るので、前記の効果に加え、前記接合面の摺動が規制され、従って、前記本体部の上半部と下半部の互いの摺動が規制される。
【００２４】
更に、請求項２記載の発明は、所定位置に固定用孔が開穿され、該固定用孔に雌ねじが螺刻された円筒状の金物が内装されたＰＣ板を、既設コンクリート表面から所定間隔離間させて仮止めし、該ＰＣ板の外方から前記金物中心部を通して削孔用ロッドを貫通した後、該削孔用ロッドに、請求項１記載の削孔芯出し治具を遊嵌して、該削孔芯出し治具を互いに固着し、該削孔芯出し治具に螺刻された雄ねじを前記金物の雌ねじに螺入して該削孔芯出し治具を前記ＰＣ板に螺着するから、既設コンクリート表面から所定間隔離間させてＰＣ板を設置する際に、前記削孔芯出し治具を用いて削孔用ロッドでアンカーボルト埋込孔を削孔する時、請求項１記載の発明と同様の効果を有する等、正に著大な効果を奏する発明である。
【図面の簡単な説明】
【図１】（ａ）本発明の一実施の形態を示し、削孔芯出し治具の正面図。
（ｂ）本発明の一実施の形態を示し、削孔芯出し治具の側面図。
（ｃ）図１（ｂ）のＤ−Ｄ縦断面図。
【図２】図１に示す削孔芯出し治具を用いて削孔を行う状態を説明する側面縦断面図。
【図３】本発明の一実施の形態を示し、既設コンクリートの補修完成状態を示す縦断面図。
【図４】従来例を示し、既設コンクリート補修方法を示す正面図。
【図５】従来例を示し、既設コンクリートの補修方法を示す側面縦断面図。
【符号の説明】
１        ＰＣ板
２        既設コンクリート
６        固定用孔
１２        削孔芯出し治具
１３        本体部
１４        雄ねじ
１５        上半部
１６        下半部
１７，１８，１９，２０  突設部
２７        雌ねじ
２８        金物
２９        削孔用ロッド
Ａ        接合面
Ｂ，Ｃ    段差
【図１】
0003828005.tif 000002
【図２】
0003828005.tif 000003
【図３】
0003828005.tif 000004
【図４】
0003828005.tif 000005
【図５】
0003828005.tif 000006